(57)【要約】熱可塑性材料容器の、連続的サイクルによるボトル詰めライン（１）であって、パリソン（４）の成型ユニット（３）と、パリソン（４）の熱調整ユニット（６）と、ブロー成型ユニット（１０）と、ブロー成型ユニット（１０）からブロー成型容器（１１）を受け取り、これらの容器（１１）に液状又は半液状の食料製品を充填するように構成された充填ユニット（１２）と、プラスチック材料の蓋（１４）を形成する成型ユニット（１３）と、蓋締めユニット（１５）と、ラインを構成するユニットと相互接続され、内部に調節大気環境が画定されたパリソン（４）及び蓋（１４）を収容するように構成された貯蔵システム（２）とを有し、それぞれのユニットの間並びにこれらユニット及び貯蔵システム（２）の間の接続が調節大気環境に置かれた統合システムを規定する、ボトル詰めライン。【選択図】図１
2015505781.tif 000002
【特許請求の範囲】
【請求項１】
熱可塑性材料の容器のための、連続的サイクルによるボトル詰めライン（１）であって、
未加工の形（５）の熱可塑性材料から、熱可塑性材料のパリソン（４）を形成する成型ユニット（３）と、
成型機（３）からパリソン（４）を受け取り、当該パリソン（４）を加熱及び冷却するパリソン（４）の熱調整ユニット（６）と、
前記熱調整ユニット（６）から加熱済みの前記パリソン（４）を受け取り、当該パリソン（４）を、充填可能な容器（１１）が形成されるようにブロー成型するブロー成型ユニット（１０）と、
前記ブロー成型ユニット（１０）から前記容器（１１）を受け取り、当該容器（１１）に液状又は半液状の食料製品を充填する充填ユニット（１２）と、
熱可塑性材料製の蓋（１４）を受け取り、当該蓋（１４）を充填後の容器（１８）それぞれで堅固に締める蓋締めユニット（１５）と、
前記パリソン（４）を収容するように構成され、１つ又は複数のコンベヤ（２３、２５）により前記熱調整ユニット（６）に接続された貯蔵システム（２）であり、貯蔵されるべきパリソン（４）を受け取ると共に、予め貯蔵されたパリソン（４）を前記熱調整ユニット（６）に供給する貯蔵システム（２）と、
を有し、
前記貯蔵システム（２）の内部には、調節大気環境が画定され、さらに、前記パリソン（４）の成型ユニット（３）、前記熱調整ユニット（６）、前記ブロー成型ユニット（１０）、前記充填ユニット（１２）、前記蓋締めユニット（１５）、及び前記貯蔵システム（２）の間の接続内部に調節大気環境が画定された統合システムを規定するボトル詰めライン（１）。
【請求項２】
請求項１記載のボトル詰めラインにおいて、当該ボトル詰めラインはさらに、未加工の形（５）のプラスチック材料から、プラスチック材料の蓋（１４）を形成する成型ユニット（１３）を有し、前記蓋締めユニット（１５）は、前記蓋（１４）の成型ユニット（１３）から前記蓋（１４）を受け取るように構成され、
前記貯蔵システム（２）は、蓋（１４）を収容できるように構成され、１つ又は複数のコンベヤ（２６、３１）により前記蓋の成型ユニット（１３）に接続され、貯蔵されるべき蓋（１４）を受け取り、また、前記蓋締めユニット（１５）に接続され、予め貯蔵された蓋（１４）を前記蓋締めユニット（１５）に供給するように構成されており、
前記蓋（１４）の成型ユニット（１３）、前記蓋締めユニット（１５）、及び前記貯蔵システム（２）の間の接続内部に調節大気環境が画定されている、ボトル詰めライン。
【請求項３】
請求項２記載のボトル詰めラインにおいて、当該ボトル詰めラインはさらに、
前記貯蔵システム（２）と、前記熱調整ユニット（６）と、前記蓋（１４）の成型ユニット（１３）と、前記蓋締めユニット（１５）とに接続され、前記貯蔵システム（２）、前記熱調整ユニット（６）、前記蓋（１４）の成型ユニット（１３）及び前記蓋締めユニット（１５）を以下の作動形態に従って制御するようにプログラムされた、管理ユニットを有し、その作動形態とは、
前記熱調整ユニット（６）が、パリソン（４）の加熱モードにあり、前記ブロー成型ユニット（１０）に供給する作動形態と、
前記熱調整ユニット（６）が、パリソン（４）の冷却モードにあり、前記貯蔵システム（２）に供給する作動形態と、
前記蓋（１４）の成型ユニット（１３）が、前記蓋締めユニット（１５）に供給する作動形態と、
前記蓋（１４）の成型ユニット（１３）が、前記貯蔵システム（２）に供給する作動形態と、
である、ボトル詰めライン。
【請求項４】
請求項３記載のボトル詰めラインにおいて、前記熱調整ユニット（６）は、前記パリソン（４）の成型ユニット（３）及び前記貯蔵システム（２）に接続されたインフィード、並びに前記ブロー成型ユニット（１０）に接続されたアウトフィードを有する加熱サブユニット（７）と、前記パリソン（４）の成型ユニット（３）に接続されたインフィード、及び前記貯蔵システム（２）に接続されたアウトフィードを有する冷却サブユニット（８）とを備え、
前記管理ユニットは、前記貯蔵システム（２）及び前記ボトル詰めライン（１）の前記ユニットそれぞれを以下の作動形態に従って制御するようにプログラムされた管理ユニットを有し、その作動形態とは、
前記冷却サブユニット（８）はオフ状態であり、一方、前記加熱サブユニット（７）は、オン状態であり、前記パリソン（４）の成型ユニット（３）から前記パリソン（４）を受け取り、当該パリソン（４）を前記ブロー成型ユニット（１０）に供給する作動形態と、
前記冷却サブユニット（８）は、オン状態であり、前記パリソン（４）の成型ユニット（３）から前記パリソン（４）を受け取り、当該パリソン（４）を前記貯蔵システム（２）に供給し、一方、前記加熱サブユニット（７）は、オン状態であり、前記貯蔵システム（２）から前記パリソン（４）を受け取り、当該パリソン（４）を前記ブロー成型ユニット（１０）に供給する作動形態と、
前記蓋（１４）の成型ユニット（１３）は、前記貯蔵システム（２）が前記蓋締めユニット（１５）に供給する間、前記貯蔵システム（２）に供給する作動形態と、
である、ボトル詰めライン。
【請求項５】
請求項１〜４いずれか記載のボトル詰めラインにおいて、前記パリソン（４）の成型ユニット（３）は、回転式の圧縮成型機から成るボトル詰めライン。
【請求項６】
請求項５記載のボトル詰めラインにおいて、当該ボトル詰めラインはさらに、射出又は射出と圧縮との組み合わせによって加工する成型機を備えた別のパリソン（４）の成型ユニット（１７）を有し、当該別の成型ユニット（１７）は、供給のため前記貯蔵システム（２）に接続されており、
当該接続（２８）が、調節大気環境に収容された前記パリソン（４）の経路を規定する、ボトル詰めライン。
【請求項７】
請求項１〜６いずれか記載のボトル詰めラインにおいて、当該ボトル詰めラインはさらに、ラベル付けユニット（１６）であり、前記ラベル付けユニット（１６）のインフィードが前記蓋締めユニット（１５）のアウトフィードに接続されるか、又は、前記ラベル付けユニット（１６）のインフィードが前記ブロー成型ユニット（１０）のアウトフィードに接続されかつ前記ラベル付けユニット（１６）のアウトフィードが前記充填ユニット（１２）のインフィードに接続された、ラベル付けユニット（１６）を有し、
前記ラベル付けユニット（１６）及び前記蓋締めユニット（１５）の間の接続、又は、前記ラベル付けユニット（１６）、前記ブロー成型ユニット（１０）及び前記充填ユニット（１２）の間の接続は、調節大気環境に置かれている、ボトル詰めライン。
【請求項８】
請求項１〜７いずれか記載のボトル詰めラインにおいて、当該ボトル詰めラインはさらに、調節大気環境で動作し、前記調節大気環境を無菌環境にする滅菌手段を有する、ボトル詰めライン。
【請求項９】
請求項１〜８いずれか記載のボトル詰めラインにおいて、前記ボトル詰めライン（１）を構成する全てのユニット（３、６、１０、１２、１５、１６及び１７）は、パリソン（４）、容器（１１、１８、１９、２０、２１及び２２）又は蓋（１４）といった、あるユニットから別のユニットに移送された生産品が、常時互いに略協調するように接続されているボトル詰めライン。
【請求項１０】
請求項３記載のボトル詰めラインにおいて、前記ブロー成型ユニット（１０）及び前記充填ユニット（１２）は、前記貯蔵システム（２）に接続されており、
前記管理ユニットは、前記貯蔵システム（２）及び前記ライン（１）の前記ブロー成型ユニット（１０）及び前記充填ユニット（１２）を、
前記ブロー成型ユニット（１０）が、前記充填ユニット（１２）に前記容器（１１）を供給する作動形態と、
前記ブロー成型ユニット（１０）が、前記貯蔵システム（２）に前記容器（１１）を供給する作動形態と、
前記貯蔵システム（２）が、前記充填ユニット（１２）に前記容器（１１）を供給する作動形態と、
に従って制御するようにプログラムされている、ボトル詰めライン。
【請求項１１】
請求項１０記載のボトル詰めラインにおいて、当該ボトル詰めラインはさらに、前記貯蔵システム（２）又は前記ブロー成型ユニット（１０）のアウトフィードに接続されたインフィードと、前記充填ユニット（１２）に接続されたアウトフィードとを備えたラベル付けユニット（１６）を有し、
前記ラベル付けユニット（１６）と前記貯蔵システム（２）との間、前記ラベル付けユニット（１６）と前記ブロー成型ユニット（１０）との間及び前記ラベル付けユニット（１６）と前記充填機（１２）との間の接続は、調節大気環境に置かれ、
前記管理ユニットは、前記貯蔵システム（２）、並びに前記ライン（１）の前記ブロー成型ユニット（１０）、前記充填ユニット（１２）及び前記ラベル付けユニット（１６）を、前記貯蔵システム（２）が前記ラベル付けユニット（１６）に前記容器（１１）を供給し前記ラベル付けユニット（１６）が前記充填ユニット（１２）にラベル付けされた容器（２１）を供給する、という作動形態に従って制御するようにプログラムされている、ボトル詰めライン。
【請求項１２】
請求項１〜１１いずれか記載のボトル詰めラインにおいて、前記貯蔵システム（２）の内部は、イオン化気体で加圧されているボトル詰めライン。
【請求項１３】
請求項１〜１２いずれか記載のボトル詰めラインにおいて、前記パリソン（４）の成型ユニット（３）と、前記熱調整ユニット（６）と、前記ブロー成型ユニット（１０）と、前記充填ユニット（１２）と、前記蓋締めユニット（１５）と、前記貯蔵システム（２）とを備えた前記統合システムは、その内部に、複数の加圧及び相互連絡した空間を画定し、それにより、前記パリソン（４）は、常時調節大気環境に保たれながら前記ライン内を移動するボトル詰めライン。
【請求項１４】
請求項１３記載のボトル詰めラインにおいて、当該ボトル詰めラインはさらに、前記複数の空間の一部を形成するそれぞれの空間に作用して、前記複数の空間をそれぞれの基準圧力で維持する複数の出口孔を有するボトル詰めライン。
【請求項１５】
熱可塑性材料の容器の連続的サイクルによるボトル詰め方法であって、
未加工の形（５）の熱可塑性材料から、パリソン（４）を成型するステップと、
前記パリソン（４）を、加熱及び冷却によって、熱調整するステップと、
加熱済みの前記パリソン（４）をブロー成型し、熱可塑性材料の容器（１１）を形成するステップと、
容器（１８）に、液状又は半液状の食料製品を充填するステップと、
充填後の容器（１９）に蓋を締めるステップと、
前記パリソン（４）を収容するように構成された貯蔵システム（２）を設置するステップと、
を含み、
前記貯蔵システム（２）の内部には、調節大気環境が画定され、  
成型ユニット（３）、熱調整ユニット（６）、ブロー成型ユニット（１０）、充填ユニット（１２）、蓋締めユニット（１５）、ラベル付けユニット（１６）及び成型ユニット（１７）並びに貯蔵システム（２）は、当該ユニット（３、６、１０、１２、１５、１６及び１７）同士の間、及び、前記貯蔵システム（２）と少なくとも前記熱調整ユニット（６）との間で、前記パリソン（４）及び前記容器（１１、１８、１９、２０、２１及び２２）を移送するための動きが調節大気環境で行われる統合システムを規定するボトル詰めライン（１）を構成する、ボトル詰め方法。
【請求項１６】
請求項１５記載のボトル詰め方法において、当該ボトル詰め方法はさらに、未処理の形（５）のプラスチック材料から、蓋（１４）を成型するステップを含み、
前記貯蔵システム（２）はさらに、蓋（１４）を収容するように構成され、
前記統合システム内で前記蓋（１４）を移送する前記移動は、前記ボトル詰めラインの調節大気環境で行われる、ボトル詰め方法。
【請求項１７】
請求項１６記載のボトル詰めラインは、前記ボトル詰めライン（１）を制御するステップを含み、
当該制御ステップは、前記貯蔵システム（２）、前記成型ユニット（３）、前記熱調整ユニット（６）、前記ブロー成型ユニット（１０）、前記充填ユニット（１２）、蓋の成型ユニット（１３）、前記蓋締めユニット（１５）、前記ラベル付けユニット（１６）及び前記成型ユニット（１７）を、
前記熱調整部（６）がパリソン（４）の加熱モードにあり、前記ブロー成形部（１０）に供給する作動形態と、
前記熱調整部（６）がパリソン（４）の冷却モードにあり、前記貯蔵システム（２）に供給する作動形態と、
前記蓋（１４）の成型ユニット（１３）が、前記蓋締め部（１５）に供給する作動形態と、
前記蓋（１４）の成型ユニット（１３）が、前記貯蔵システム（２）に供給する作動形態と、
に従って管理するステップを含み得る、ボトル詰めライン。
【請求項１８】
請求項１７記載のボトル詰め方法において、前記制御ステップはさらに、前記貯蔵システム（２）、前記成型ユニット（３）、前記熱調整ユニット（６）、前記ブロー成型ユニット（１０）、前記充填ユニット（１２）、前記蓋の成型ユニット（１３）、前記蓋締めユニット（１５）、前記ラベル付けユニット（１６）及び前記成型ユニット（１７）を、
前記熱調整ユニット（６）の加熱サブユニット（７）から供給される前記パリソン（４）を、前記ブロー成型ユニット（１０）へ供給する作動形態と、
前記貯蔵システム（２）から供給される前記パリソン（４）を、前記熱調整ユニット（６）の前記加熱サブユニット（７）に供給すると同時に、前記パリソン（４）を、前記パリソン（４）の成型ユニット（３）から前記貯蔵システム（２）に移送する作動形態と、
前記貯蔵システム（２）が前記蓋締めユニット（１５）に供給する間、前記蓋の成型ユニット（１３）から供給される前記蓋（１４）を前記貯蔵システム（２）に移送する作動形態と、
に従って管理するステップを含む、ボトル詰め方法。
【請求項１９】
請求項１５〜１８いずれか記載のボトル詰め方法において、前記調節大気環境は、前記ボトル詰めライン（１）の動作中、無菌状態に保たれるボトル詰め方法。
【請求項２０】
請求項１５〜１９いずれか記載のボトル詰めラインにおいて、前記パリソン（４）の成型ユニット（３）、前記熱調整ユニット（６）、前記ブロー成型ユニット（１０）、前記充填ユニット（１２）、前記蓋締めユニット（１５）及び前記貯蔵システム（２）を備えた前記統合システムは、その内部に、複数の加圧及び相互連絡した空間を画定し、それにより、前記パリソン（４）は、ライン内部で常時調節大気環境に保たれながら前記ライン内を所定の経路に沿って移動する、ボトル詰めライン。
【請求項２１】
請求項２０記載のボトル詰めラインは、前記複数の空間の一部を形成するそれぞれの空間を加圧して、前記複数の空間をそれぞれの基準圧力で維持するステップを含む、ボトル詰めライン。
【発明の詳細な説明】
【技術分野】
【０００１】
本発明は、熱可塑性材料の容器をボトル詰めするための、連続的サイクルライン及び方法に関する。
【０００２】
より詳細には、本発明は、未加工のプラスチックから熱可塑性材料の容器を形成し、当該容器に液状又は半液状の食料製品を充填するためのライン及び方法に関する。
【０００３】
こうしたボトル詰めラインは、
未加工の形の熱可塑性材料から、熱可塑性材料のパリソンを形成する成型ユニットと、
上記成型機から上記パリソンを受け取り、当該パリソンを加熱するパリソンの熱調整ユニットと、
上記熱調整ユニットから加熱済みの上記パリソンを受け取り、当該パリソンを、液状又は半液状の食料製品が充填可能な容器が形成されるように成型型内でブロー成型するブロー成型ユニットと、
上記ブロー成型機から上記容器を受け取り、当該容器に液状の飲料を充填する充填ユニットと、
未加工の形のプラスチック材料から、プラスチック材料の蓋を形成する成型ユニットと、
上記蓋成型ユニットから上記蓋を受け取り、当該蓋を充填後の容器それぞれに堅固に締める蓋締めユニットと、
を有する。
【０００４】
一般的に言えば、そうしたボトル詰めラインには主に２つの欠点がある。第一の欠点は、ラインの効率及び信頼性に関わるものである。第二の欠点は、食料製品が関与する全工程での清潔度及び衛生上の必要性に関わるものである。
【背景技術】
【０００５】
一般的に言えば、従来の解決法では、効率及び信頼性に関わる欠点は、ユニット間にアキュミュレーションシステムを設けて、あるユニットから別のユニットへと移送される物を能動制御する（この場合、実際には、ユニットは常に互いに協調している）ことにより対処され、ユニット間を接続する必要はない。したがって、ユニットの１つを停止したとしても、ライン全体が停止することはない。
【０００６】
しかし、そうしたアキュミュレーションシステムは、ラインの衛生面で不都合を生じさせる。
【０００７】
上記の点について、本発明と同一の出願人による国際公開第２００９１２７９６２号パンフレット（特許文献１）は、パリソン成型機と、パリソンのオーブンと、ブロー成型機とを備えたシステムを開示している。開示のシステムはさらに、成型機及びオーブンの間に置かれた冷却カルーセルと、冷却カルーセル及びブロー成型機に接続された貯蔵システムとを備える。
【０００８】
上記の解決法は、特定の危機的状況に対処することができ、具体的には、ブロー成型機のシャットダウンに対処することができ（この場合、成型機は、貯蔵システムに移送されるパリソンの形成を継続する）、成型機のシャットダウンに対処することができる（この場合、ブロー成型機に対する、貯蔵システムからのパリソンの供給は継続される）。
【０００９】
しかし、上記の解決法は、衛生上の問題を解決するわけではなく、実際には、パリソンが貯蔵システムを通過する際に汚染される恐れがあり、衛生上の問題は深刻化する。
【００１０】
このことを踏まえ、本発明と同一の出願人名義で出願された伊国特許第０００１３５９０２４号明細書（ＩＴ１３５９０２４、特許文献２）には、ボトル詰めラインのそれぞれのユニットに供給されるパリソン及び蓋を収容する貯蔵システムが記載されている。
【００１１】
貯蔵システムの内部は、異質の物、すなわち、パリソン及び蓋を収容できるように、過剰圧力状態に保たれている。
【００１２】
しかし、特許文献２は、衛生上の問題に対処しておらず、ラインの信頼性及び効率を保証できるような解決法を提供しない。
【００１３】
また、特許文献１でさえ、ボトル詰めライン全体の信頼性及び効率を保証できるような解決法を提供しておらず、単に、ブロー成型機及びパリソン成型機から成るサブシステムの信頼性（すなわち、サービスが停止しないこと）の問題に対する解決法を提案するだけである。
【００１４】
以上より、ラインの効率に関しては次のような問題が存在する。
【００１５】
未処理のプラスチックを（例えば、パリソン又は蓋の成型のために）処理する成型機は、高い熱慣性を有する。
【００１６】
成型ユニットの高い熱慣性は、２つの影響を及ぼす。
【００１７】
第一の影響は、ユニットを高い頻度で停止することにより問題が生じることである。実際に、ユニットは常にオン状態で保たれなければならず、機器のシャットダウンの頻度は最小限に抑える必要がある。
【００１８】
第二の影響は、第一の影響に関連するが、上記機器は同一色の物（パリソン又は蓋）を比較的長期間にわたり（例えば、数ヶ月間）形成するように作られている。物の材料であるプラスチックの色の変更は、明らかに、機器の停止を意味し、そうした変更の頻度はなるべく減らす必要がある。
【００１９】
しかし、生産要件によっては、パリソン成型機及び蓋成型機に推奨の色変更頻度よりも頻繁に（例えば、毎週又は隔週で）ボトル及び蓋の色を変更する必要が生じる。
【００２０】
このことを踏まえ、従来技術によるボトル詰めラインの解決法では、上記の相反する必要性を同時に満たすために、ラインの効率に限度がある傾向がある。
【先行技術文献】
【特許文献】
【００２１】
【特許文献１】国際公開第２００９１２７９６２号パンフレット
【特許文献２】伊国特許第０００１３５９０２４号明細書（ＩＴ１３５９０２４）
【発明の概要】
【発明が解決しようとする課題】
【００２２】
本発明は、上述した従来技術の問題を解決した、熱可塑性材料の容器をボトル詰めするための、連続的サイクルライン及び方法に関する。
【００２３】
具体的に言えば、本発明は、特に信頼性及び効率に優れると同時に、高レベルの衛生を保証する、熱可塑性材料の容器をボトル詰めするための、連続的サイクルライン及び方法を提供することを目的とする。
【課題を解決するための手段】
【００２４】
上記目的は、添付の特許請求の範囲に記載された発明によるライン及び方法により、十分に達成することができる。
【００２５】
より詳細には、ボトル詰めラインは、未加工の形（例えば、ペレット）のプラスチック材料から熱可塑性材料（例えば、ＰＥＴ）のパリソンを形成するための少なくとも１つの成型ユニットを有する。
【００２６】
ラインはさらに、パリソンを加熱及び冷却するように構成されたパリソンの熱調整ユニットを有する。
【００２７】
熱調整ユニットは、パリソン成型機のアウトフィードに接続される。
【００２８】
なお、パリソン成型機は、好適には（必須ではないが）、回転式の機器である。また、好適には、機器は、圧縮によって加工する（すなわち、パリソンは、プラスチックを圧縮することによって得られる）。
【００２９】
成型ユニットが回転式の機器であることは、以下の２つの理由で有利である。
第一の理由は、供給され熱調整ユニットに送られるパリソンの温度の均一性が保証されることである。
第二の理由は、成型ユニットを、その下流のユニットと、特に、パリソンから容器を形成する機器に接続された熱調整ユニットと、協調させることができることである。
【００３０】
ここで、ラインは、調整ユニットから加熱済みのパリソンを受け取り、これらのパリソンを、液状又は半液状の食料製品が充填可能な（ＰＥＴ）容器が形成されるようにブロー成型するように構成されたブロー成型ユニットを有する（「半液状の製品」との語句は、例えば、ソース又はその他の高密度の液体を示すために用いられ、固体の食料製品片を含んでいても含んでいなくてもよい）。
【００３１】
また、パリソン成型ユニットが好適には回転式であり、圧縮によって加工する、という点に関して、パリソンは、さらなる加工に供される際に、常温又は高温であることに注目されたい。
【００３２】
つまり、パリソンが直ちにブロー成型機に供給されず、代わりにウェアハウス又は貯蔵システムに移送される場合、（状況によっては必ず）パリソンをまず冷却することが推奨される。
【００３３】
そこで、調整ユニットは、パリソンを加熱するだけでなく、冷却するようにも構成されている。
【００３４】
そのため、調整ユニットは、好適には、オーブンと、パリソン成型ユニット及びオーブンの間に挿置された冷却カルーセルとを有する。
【００３５】
あるいは、オーブンは冷却手段及びスイッチを備え、スイッチを用いて、オーブンを加熱形態及び冷却形態の間で変化させることができる。
【００３６】
ラインはさらに、ブロー成型ユニットから容器を受け取り、容器に液状食料製品（例えば、飲料）又は半液状食料製品を充填するように構成された充填ユニットを有する。
【００３７】
また、ラインは、充填後の容器にプラスチックの蓋を（例えば、ネジ止めによって）締め、容器を封止するように構成された蓋締めユニットを有する。
【００３８】
充填ユニット及び蓋締めユニットは、１つの機器で実現しても、相互接続された別個の機器で実現してもよい。
【００３９】
好適には、ラインはさらに、未加工の形のプラスチック材料（例えば、ペレット）から、プラスチック材料の蓋を形成する成型ユニットを有する。
【００４０】
蓋成型ユニットは、蓋締めユニットに接続され、蓋締めユニットに蓋を供給する。
【００４１】
このように、好適には、蓋は（未加工のプラスチックから）ラインそのもので形成される。
【００４２】
あるいは、蓋は、ラインの外部で形成することができる。
【００４３】
後者の場合、蓋は、蓋締め機に直接供給される。好適には、蓋締め機は、インフィードステーションに位置する滅菌手段（又は消毒手段あるいはその他の適切な洗浄手段）を備え、供給された蓋を殺菌（又は消毒あるいは洗浄）する。
【００４４】
また、蓋（ラインの外部で形成されたものを含む）は、貯蔵システムに供給することもできる。
【００４５】
以下の詳細な実施の形態においては、説明の便宜上、ラインが蓋成型ユニットをさらに有する実施例について述べるが、それにより本発明の保護範囲が限定されることはない。実際は、ラインに関する技術的特徴及び蓋の成型に明示的には関連していない技術的特徴はいずれも、蓋の成型がラインの内部で行われるか外部で行われるかにかかわらず、本発明のラインに当てはまる。
【００４６】
また、ラインは、貯蔵システム、ウェアハウス又はその他のアキュミュレーション手段を有する。貯蔵システム（又はウェアハウス）は、自動化されたウェアハウスである。
【００４７】
ウェアハウス又は貯蔵システムは、パリソンを収容するように構成され、パリソンの送出経路及び戻り経路を介して、熱調整ユニットに接続されている。本明細書では、「ウェアハウス」及び「貯蔵システム」との語句は区別することなく、それぞれ又は組み合わせた形で、本発明のライン内で形成される製品又は用いられる製品を貯蔵するためのあらゆるアキュミュレーション構造体を示すために用いられる。
【００４８】
本発明によれば、ウェアハウスはさらに、蓋を収容するように構成されている。
【００４９】
そこで、ウェアハウスはさらに、蓋成型ユニット及び蓋締めユニットに接続されている。
【００５０】
また、好適には、ラインはさらに、未加工のプラスチックからパリソンを、例えば、射出成型又は射出圧縮成型によって形成する別の成型ユニットを有する。
【００５１】
ここで、ウェアハウスは、上記別のパリソン成型ユニットにも接続され、ここで形成されたパリソンを受け取り、貯蔵する。
【００５２】
好適には、ラインはさらに、ブロー成型ラベル容器にラベル付けするように構成されたラベル付けユニットを有する。
【００５３】
ラベル付けユニットは、ブロー成型ユニットのアウトフィード及び充填ユニットのインフィードに接続され、空の容器にラベル付けする。
【００５４】
あるいは、ラベル付けユニットを、蓋締めユニットのアウトフィードに接続し、容器が充填及び蓋締めされた後に、ラベル付けすることもできる。
【００５５】
好適には、ウェアハウスはさらに、空のブロー成型容器を収容するように構成されており、ブロー成型ユニットのアウトフィード及び充填ユニット（又はラベル付けユニット）のインフィードにも接続されている。
【００５６】
本発明によれば、ボトル詰めラインは、上述したように、全てのユニットが相互に及びウェアハウスに接続された統合システムである。
【００５７】
好適には、ラインのユニットは全て（あるユニットから別のユニットへと移送される物の能動制御によって）、あるユニットから別のユニットへと移送される物（パリソン、容器又は蓋）が常に協調又は略協調するように接続されている。
【００５８】
「協調」との表現は、同一時間内に、あるユニットから供給される物の数が、次のユニットへと供給される物の数と等しいことを示すために用いられる。
【００５９】
「略協調」との表現は、同一時間内に、あるユニットから供給される物の数が、次のユニットへと供給される物の数と僅かに異なることを示すために用いられる。これは、２つのユニットを接続する経路に沿った物の間隔は変化する可能性があるにもかかわらず、固有のアキュミュレーションバッファシステム、すなわち、専用のステーション（貯蔵庫又はアキュミュレーションバッファ）の貯蔵システムはないためである。
【００６０】
また、本発明によれば、ユニット間の接続並びにユニット及びウェアハウスの間の接続は、調節大気環境に置かれる。より詳細には、調節大気環境に置かれた接続とは、パリソン成型ユニット、熱調整ユニット、ブロー成型ユニット、充填ユニット、（もしあれば、蓋成型ユニット）、蓋締めユニット及びウェアハウスの間の接続である。
【００６１】
好適には、ユニット間の相互接続及びユニットとウェアハウスとの間の接続は、調節大気環境に置かれる。より詳細には、パリソン成型ユニット、熱調整ユニット、ブロー成型ユニット、充填ユニット、（もしあれば、蓋成型ユニット）、蓋締めユニット及びウェアハウスの間の接続は、その内部に、調節大気環境を画定している。
【００６２】
上述したように、ボトル詰めラインは、上記のユニット及び関連する接続を有する統合システムを規定する。
【００６３】
好適には、統合システムは、その内部に、複数の加圧及び相互連絡した空間（チャンバ）を画定して（有して）いる。これにより、パリソンは、調節大気環境に維持されながら、ライン（すなわち、統合システム）内部で移動することができる。
【００６４】
好適には、ラインは、複数の空間の一部を形成するそれぞれの空間に作用して、これら複数の空間をそれぞれの基準圧力で維持する複数の出口孔を有する。
【００６５】
ウェアハウス内部には、調節大気が画定されている。
【００６６】
調節大気では、（好適には）過圧が生じている。
【００６７】
好適には、調節大気では、環境は無菌である。この場合、消毒手段が環境に設けられている。
【００６８】
そのために、ユニット間の接続は、ダクトに取り囲まれている。ダクトは、調節大気が生成及び維持される密封空間を規定する。
【００６９】
このように、ボトル詰めラインは、パリソン成型ユニット、熱調整ユニット、ブロー成型ユニット、充填ユニット、蓋成型ユニット、蓋締めユニット、及びウェアハウス又は貯蔵システムの間の接続が、調節大気環境に置かれた統合システムを規定する。
【００７０】
より詳細には、ラインを構成するユニット（例えば、パリソン成型ユニット、熱調整ユニット、ブロー成型ユニット、充填ユニット、蓋成型ユニット、蓋締めユニット及びウェアハウスは、内部に、それぞれの空間を規定する。ユニット間の接続は、その内部に、それぞれの空間を規定する。これらの空間はいずれも調節大気を含み（例えば、それぞれの空間は過圧状態にあり）、ラインで扱われる物（パリソン、蓋及びボトル）が、ライン内部にある限り常時調節大気環境で維持されるように、互いに連絡（すなわち、相互接続）している。
【００７１】
したがって、好適には、ライン（すなわち、統合システム）は、ラインを構成するユニット内及びこれらユニット間の接続内に）複数の相互接続した空間を有し、これら空間内では、ラインで扱われる物は常時調節大気環境で維持される。
【００７２】
このように、ラインで扱われる物は、ライン内の移動経路全てにおいて、調節大気環境で維持される。
【００７３】
好適には、空間はそれぞれ別個に（例えば、異なる圧力で）加圧される。
【００７４】
あるいは、ラインは、ラインの全てのユニット及びウェアハウスが格納された密封部屋を有し、調節大気は、この部屋全体で生成及び維持されることとしてもよい。
【００７５】
ウェアハウスの存在、並びにウェアハウス及びラインのユニットの相互接続は、効果的な構成として、ラインの信頼性及び効率を向上させる。
【００７６】
例えば、ウェアハウス及び熱調整ユニットの間、ウェアハウス及び蓋成型ユニットの間（及び、場合によっては、ウェアハウス、ブロー成型ユニット及び充填ユニット又はラベル付けユニットの間）の接続によって、ラインを構成するこれらユニットのいずれかのシャットダウンに対応することができ、生産ダウンタイムを縮小し、停止しなければならないユニットの数を減少させると同時に、プラスチック加工する成型ユニットを常時動作中に保つことができる（ただし、停止しなければならないユニットが正にそれらのユニットである場合は除く）。
【００７７】
ウェアハウス及び熱調整ユニットの間の（ある送出コンベヤと、ある戻りコンベヤとを介した）双方向接続と、ウェアハウス、蓋成型ユニット、及び蓋締めユニットの間の接続とによって、第一の色及び／又は形状の容器を製造することができると共に、（蓋及びパリソンの）成型ユニットは、様々な色及び／又は形状のプラスチックを加工することができる。
【００７８】
ラインの効率は、ウェアハウス及びラインを構成するユニットに接続され（全ての駆動システム及び移動システムの中央制御装置として機能する）管理ユニット（例えば、電子カード又は適切にプログラムされたプロセッサ）により、さらに向上される。それにより、統合型のスマートライン管理システムを形成し、ウェアハウス及びラインのユニット並びにこれらの相互作用（すなわち、ラインのユニット間で移送される物の流れ）を自動的に制御し、いかなる状況においても効率を最大化する状態をとることができる。
【００７９】
ラインが（加圧及び／又は消毒により）ウェアハウス並びにユニットを相互に及びウェアハウスに接続する全ての領域に調節大気環境を規定することによって、特に高いレベルの衛生を実現することができる。
【００８０】
ここで、ウェアハウスは、好適には、その内部に空気をイオン化する手段（例えば、電圧発生器に接続され、電界を発生されるように配置された金属棒）を、好適には、換気システム（例えば、強制換気）と組み合わせた形で有する。
【００８１】
上述したように、ウェアハウスは、好適には、（圧力下の空気を用いて）加圧される。好適には、ウェアハウスは、イオン化空気を用いて加圧される。
【００８２】
これは、ウェアハウスに貯蔵された物（パリソン、蓋、及び、場合によっては、容器）に対する不要な静電荷を減少（又は除去）するという利点を有する。
【００８３】
また、ウェアハウスは、好適には、垂直方向に延設される（ただし、水平方向にも延設することができる）。
【００８４】
この場合（ウェアハウスが垂直方向に延設される場合）、（蓋及びパリソンの）ウェアハウスへの／からのインフィード及びアウトフィードは、好適には異なる高さに位置する。具体的に言えば、インフィードは、低め（略、ウェアハウス又は貯蔵システムが置かれた床又は表面の高さ）で、アウトフィードは高めに位置する。
【００８５】
ウェアハウスは、物の貯蔵及び移動を目的として、物のウェアハウスへ／からの流れを自動的に制御する自動化されたハンドリングシステムを備える。
【００８６】
好適には、ウェアハウスの自動化されたハンドリングシステムは、ラインの管理ユニットに接続又は適合しているか、あるいは、当該管理ユニットと一体化されている。
【００８７】
好適には、ウェアハウスは、引出し貯蔵システム、すなわち、複数の引出しを有するシステムである。
【００８８】
ウェアハウスは、引出しの複数のハウジング（又はスロット）が規定された構造体から成る。これらのハウジングは、複数の並置された段（カラム）に配置されている。
【００８９】
ウェアハウスはさらに、（少なくとも）１つのリフトを有する。リフトは、引出しを支持及び移動するように作られたプラットフォーム（又はキャリッジ）を有する。
【００９０】
リフトのプラットフォームは、（ウェアハウスの床からの高さを変化しながら）垂直方向に移動すること及び垂直方向に対して直角の長手方向に水平方向に移動することができる。
【００９１】
より詳細には、（少なくとも１つの）リフトは、プラットフォームがウェアハウス内の全てのハウジングに近接して移動し、ハウジングから／へ引出しを引き出す又は挿入することができるように構成されている。
【００９２】
好適には、ウェアハウスは、引出しの洗浄ステーションを有する。好適には、ウェアハウスはさらに、引出しの乾燥ステーションを有する。
【００９３】
ウェアハウスはさらに、ウェアハウスの貯蔵物のための少なくとも１つの積荷ベイ及び少なくとも１つの卸荷ベイを有する。
【００９４】
積荷ベイ及び卸荷ベイは、リフトからアクセスすることができる。
【００９５】
積荷ベイ及び卸荷ベイは、物を（それぞれ）コンベヤへ／から移送するように作られ、ウェアハウス及びラインのその他のユニットの間の接続を構成するコンベヤに近接したウェアハウスの領域に位置する。
【００９６】
積荷ベイ及び卸荷ベイはそれぞれ、ウェアハウスの貯蔵物を拾い、移動させるためのマニピュレータ（自動ハンドリング手段）を備える。
【００９７】
より詳細には、積荷ベイのマニピュレータは、コンベヤのうち少なくとも１つから物を拾い、それらの物を、積荷ベイの位置にある少なくとも１つの（空かつ使用されるべき）引出しに置くように構成されている。
【００９８】
卸荷ベイのマニピュレータは、積荷ベイの位置にある少なくとも１つの（空きがなく、かつ、空になるべき）引出しから物を拾い、それらの物を、コンベヤのうち少なくとも１つに置くように構成されている。
【００９９】
リフトは、（制御ユニットに駆動され、）積荷ベイと、ウェアハウス内のハウジングと卸荷ベイとの間で、ウェアハウス内を、空の引出しを積荷ベイに運搬し、空きのない引出しを積荷ベイから拾い、空きのない引出しを卸荷ベイに運搬し、空の引出しを卸荷ベイから拾い、空きのない引出しをハウジングに挿入し、空の引出しをウェアハウスのハウジングから引き出すように移動する。
【０１００】
好適には、ウェアハウスは、卸荷ベイに位置し、（ウェアハウスから出る）卸荷ベイを介して運搬中の物に作用してこれらの物を消毒する滅菌手段を有する。
【０１０１】
さらに（又はあるいは）、ウェアハウスは、積荷ベイに位置し、（ウェアハウスに入る）積荷ベイを介して運搬中の物に作用してこれらの物を消毒する滅菌手段を有する。
【０１０２】
好適には、ウェアハウスの内部は、無菌（すなわち、滅菌）環境である。ここで、ウェアハウスは、ウェアハウス内の空間を滅菌する滅菌手段を有する。
【０１０３】
これらの滅菌手段は、例えば、紫外線源又は滅菌液を吹き付けるように構成されたノズルから成る。
【０１０４】
積荷ベイ及び／又は卸荷ベイにおいて、ウェアハウスは、好適には、物をチェックし不良品とするためのシステムを有する。このチェック及び不良品のためのシステムは、例えば、プロセッサに接続された光学検出器から成る。
【０１０５】
積荷ベイ及び／又は卸荷ベイにおいて、ウェアハウスは、好適には、（引出しに／から挿入される又は引き出される）物の数をカウントするためのシステムを有する。このカウントシステムは、例えば、プロセッサに接続されたビデオカメラから成る。
【０１０６】
積荷ベイ及び／又は卸荷ベイにおいて、ウェアハウスは、好適には、物を計量するためのシステムを有する。この計量システムは、例えば、積荷セル又はその他の知られた計量手段から成る。
【０１０７】
好適には、ウェアハウスは、ウェアハウスの高圧領域に位置する、（例えば、ファンに接続された）出口孔のシステムを有する。
【０１０８】
好適には、ウェアハウスはさらに、ウェアハウスの低圧領域に位置する、（例えば、ファンに接続された）入口孔のシステムを有する。
【０１０９】
低圧領域の圧力は、高圧領域の圧力より低いが、ウェアハウスの外部（ボトル詰めラインの外部）の圧力よりも高いことが好適である。
【０１１０】
好適には、ウェアハウスの高圧領域及び低圧領域は、ウェアハウスの対向する端部に位置し、それにより、空気（層）流がウェアハウス内部の空間全体に発生する。
【０１１１】
好適には、引出しには、空気が通過できるように穴が開けられている。
【０１１２】
好適には、引出しハウジングを規定するウェアハウスの構造体は、空気流が通過可能な開口部が画定された構造体（例えば、格子枠）から成る。
【０１１３】
好適には、ウェアハウスは、平行六面体形状である。
【０１１４】
好適には、ウェアハウスは、２辺が長く、２辺が短い矩形のベースを有する。したがって、ウェアハウスの側壁は、大きな面２つと小さな面２つとを有する。
【０１１５】
好適には、高圧領域及び低圧領域は、ウェアハウスの側壁、好適には、側壁の小さな面の対向面に位置する。
【０１１６】
好適には、ウェアハウスは、複数のフィルタを有する。フィルタは、出口孔（対応する圧力ファンの下流）に連結され、ウェアハウスに送り込まれた空気をろ過する。
【０１１７】
なお、ラインのユニット間の接続を取り囲むダクトは、ライン外部の圧力より高い圧力で維持されている。
【０１１８】
好適には、ラインは、接続（これは、１つの接続及び、好適には、全ての接続に当てはまる）を取り囲むダクトの少なくとも１つの限定区間に置かれた出口孔を有する。
【０１１９】
そうして、接続を取り囲むダクト内部に、高圧の領域及び（比較的）低圧（ただし、ライン外部よりは高い圧力）の領域が生じる。
【０１２０】
好適には、ダクトは、特にウェアハウスに接続されたダクトの区間において、ウェアハウスの圧力よりも低い内部圧力で接続を取り囲む。
【０１２１】
好適には、ダクトは、特にユニットに接続されたダクトの区間において、ダクトが接続するユニットの圧力よりも低い内部圧力で接続を取り囲む。
【０１２２】
そうして、ボトル詰めラインは、ラインが設置された部屋に比べ加圧された内部空間を画定する、相互接続されたチャンバとダクトとの密封システムを規定する。
【０１２３】
このチャンバ及びダクトの密封システムの内部には、圧力が比較的高い領域と圧力が比較的低い領域とが存在する。
【０１２４】
チャンバ及びダクトの密封システムの内部の圧力が異なる領域は、ラインに設けられた出口孔（又は公知のタイプの加圧手段）の位置により決定される。
【０１２５】
チャンバ及びダクトの密封システムの内部の圧力が異なる領域が存在することによって、ライン内（すなわち、チャンバ及びダクトの密封システム内）に、所定方向の空気流が発生する。
【０１２６】
好適には、リフトは、所定の経路をたどるレールに沿ってウェアハウス内を移動することができる。
【０１２７】
好適には、リフトは、回転要素によってレールに連結されている。これにより、ウェアハウスで浮遊する埃又はその他の物質の形成を抑制することができる。
【０１２８】
レール、すなわち、リフトがウェアハウスでたどる経路の配置に関しては、以下の点に留意されたい。
【０１２９】
好適には、リフトキャリッジは、垂直方向、好適には、ウェアハウスの高さ全体を移動可能である（すなわち、リフトキャリッジの垂直方向のストロークは、ウェアハウスの高さに等しい）。
【０１３０】
また、好適には、リフトキャリッジは、水平方向、好適には、ウェアハウスのベースの長辺方向に沿って移動可能である（すなわち、リフトキャリッジの水平方向のストロークは、ウェアハウスの矩形ベースの長辺の長さに等しい）。
【０１３１】
ここで、別の実施例を挙げる。
【０１３２】
第一の実施例では、ウェアハウスは、小さな側面を切断し、ウェアハウスを、大きな側面に平行な分割面に沿って２つの部分に分割する空いた通路を有する。
【０１３３】
リフトは、（略矩形のプラットフォームである）キャリッジの両端部に垂直方向の誘導レールを規定する（ウェアハウスの高さと同じ長さの）２つの垂直方向の支柱を備えたフレームを有する。
【０１３４】
一方、フレームは、大きな面に平行な（水平）方向に沿って、水平方向に移動することができる。フレームは、水平方向のガイド、換言すれば、分割面に沿って延びる１本の水平方向のレール上で動く。
【０１３５】
この場合、キャリッジ及び引出しは、ウェアハウスの小さな側面で規定された面に対して垂直に置かれる。
【０１３６】
第二の実施例では、キャリッジ及び引出しは、ウェアハウスの小さな側面で規定された面に対して平行に置かれる。
【０１３７】
ウェアハウスは、大きな側面を切断し、ウェアハウスを、小さな側面に平行な分割面に沿って複数の部分に分割する少なくとも１つの空いた通路（垂直方向の通路）を有する。
【０１３８】
例えば、ウェアハウスは、大きな側面を切断し、ウェアハウスを、小さな側面に平行な分割面に沿って複数の部分に分割する複数の空いた通路（垂直方向の通路）を有することができる。
【０１３９】
ウェアハウスはさらに、リフトキャリッジの滑り面を有する。滑り面は、ウェアハウス内に水平方向に延び、リフトキャリッジがウェアハウス内を水平方向に移動することを可能にする。
【０１４０】
例えば、所定の１つ又は複数の高さ（すなわち、ウェアハウスの床から所定の１つ又は複数の高さ）に、（ウェアハウスの矩形ベースの長辺に沿って測定された）ウェアハウスの長さ全体にわたって水平方向に延びるリフトキャリッジの滑り面を設けることができる。
【０１４１】
好適には、水平方向の滑り面は、一番下の高さ又は一番上の高さ（あるいは中間の高さ、すなわち、ウェアハウスの半分までの高さ）に位置付けられる。
【０１４２】
（大きな側面を横断する形で置かれた）垂直方向の通路はそれぞれ、垂直方向の滑り面を有し、これらによって、キャリッジは、当該通路を垂直方向に上下移動することができる。
【０１４３】
キャリッジが水平方向の滑り面と整列している場合、キャリッジは、ある垂直方向の通路から別の垂直方向の通路へと水平方向に移動することができる。
【０１４４】
貯蔵システムの構造体は、互いに対して移動し、ブロック間の空いた通路を開閉することができる複数のブロック（又はモジュール）に分割することができる。これらの通路は、貯蔵システム内でリフト（すなわち、リフトキャリッジ）を移動するための垂直方向及び／又は水平方向の通路を規定する。したがって、この場合、ブロックを移動することによって、少なくとも１つの垂直方向及び／又は水平方向の通路が動的に形成される。また、通路は、ウェアハウスのどこであっても形成（開閉）され得る。
【０１４５】
この構成によって、ウェアハウス内部の空間の総容量とウェアハウス内の引出しが閉める空間の容量との差は、１本の水平方向の通路及び１本の垂直方向の通路の容量に限定される。
【０１４６】
これにより、ウェアハウス内部の容量を最大化し、その全体的な寸法を（引出し、すなわち貯蔵空間の数に対して）減少させることができる。
【０１４７】
ここで、ウェアハウスの引出しは、垂直方向のスタックで構成される。スタックは、ウェアハウスのベースに、水平方向に移動できるように摺動可能に連結される。
【０１４８】
ブロックの駆動手段（例えば、電動モータ又はその他のアクチュエータ）は、ウェアハウスを制御及び管理するように作られた制御ユニット（例えば、電子カード）に接続されている。
【０１４９】
制御ユニットは、リフトキャリッジの位置と、キャリッジが到達しなければならないウェアハウス内の（ハウジング、すなわち、引出しの）位置とを示す信号を、入力として受け取るように設定されている。制御ユニットは、引出しブロック移動手段を駆動するための信号を処理及び出力し、キャリッジを、到達するべき位置に連絡するための経路（１本の垂直方向の通路及び１本の水平方向の通路、又は、連続する通路の水平方向及び垂直方向の区間）を形成する。
【０１５０】
また、引出しは、（それぞれ又はブロック毎に）互いに垂直方向に移動し、リフトキャリッジが移動する水平方向の通路（又は通路の部分）を動的に形成することができる。
【０１５１】
本発明の連続的サイクルによる容器のボトル詰め方法は、
未加工の形の熱可塑性材料から、パリソンを成型するステップと、
パリソンを、加熱及び冷却によって、熱調整するステップと、
加熱済みの前記パリソンをブロー成型し、熱可塑性材料の容器を形成するステップと、
容器に、液状又は半液状の食料製品を充填するステップと、
場合によっては、未加工の形のプラスチック材料から、蓋を成型するステップと、
充填後の容器に蓋を締めるステップと、
パリソンを収容するように構成されたウェアハウスを設置するステップと、
を含む。
【０１５２】
本発明によれば、ウェアハウスの内部には、調節大気環境が画定されており、ウェアハウスはさらに、蓋を収容するように構成されている。
【０１５３】
また、ラインのユニット及びウェアハウスは、パリソン（並びにボトル及び蓋）のユニット間（ウェアハウス又は貯蔵システムもユニットの１つである）の移送が調節大気環境で行われる統合システムを規定するボトル詰めラインを構成する。好適には、上記環境は、複数の（好適には、加圧された）相互連絡した空間によって、ラインの内部に画定される。
【０１５４】
具体的には、少なくとも、ウェアハウス及び熱調整ユニットの間の（パリソン及び、場合によっては、蓋の）移送移動は、調節大気環境で行われる。
【図面の簡単な説明】
【０１５５】
【図１】本発明に従ったボトル詰めラインを示す機能図である。
【図２】ラベル付けユニットの接続の変形実施形態による、図１のラインを示す図である。
【図３】図１のラインの熱調整ユニットの詳細を示す図である。
【図４】変形実施実施形態における、図３の調整ユニットを示す図である。
【図５】図１のラインの概略平面図である。
【図６】図１のラインの一部を示す概略斜視図である。
【図７】図１のラインのウェアハウスを示す概略斜視図である。
【図８】図７の細部を拡大して示す図である。
【図９】図７のウェアハウスの平面図である。
【図１０】図７のウェアハウスを透視／機能図で示す図である。
【発明を実施するための形態】
【０１５６】
これらの及びその他の本発明の特徴については、添付の図面を参照しながら、以下の本発明の好適かつ非限定的な実施形態に関する詳細な説明を読めば、更に明らかとなるであろう。
【０１５７】
図中、符号１は、熱可塑性材料の容器を連続的サイクルでボトル詰めするための、ライン（又は機械設備）を示す。
【０１５８】
ライン１は、未加工の形の熱可塑性材料（例えば、未加工の着色済みプラスチックから成るペレット５）から、熱可塑性材料のパリソン４を成形する成型ユニット３を備える。
【０１５９】
好適には、パリソン４の成型ユニット３は、回転式の機器であり、圧縮によってプラスチックを加工することが好適である。
【０１６０】
成型ユニット３は、本発明と同一の出願人名義で出願された国際公開第ＷＯ２００６０９２６５１号パンフレットで詳細に記載され、当該文献は、回転式成型機の関連部分において本明細書に参考として組み込まれる。
【０１６１】
ライン１は、パリソン４の熱調整ユニット６を備える。
【０１６２】
調整ユニット６は、成形機３からパリソンを受け取り、当該パリソン４を加熱するように構成されている。
【０１６３】
調整ユニット６はさらに、パリソン４を冷却するように構成されている。
【０１６４】
調整ユニット６は、パリソン４が同時に、さもなければ異なる時間に、冷却及び加熱され得るように構成されている。
【０１６５】
ここで、調整ユニット６には２つの変形実施形態が考えられる。
【０１６６】
第一の変形実施形態では、図３に示されているように、熱調整ユニット６は、加熱サブユニット７及び冷却サブユニット８を有する。
【０１６７】
加熱サブユニット７は、例えば、加熱要素が置かれた通路における、パリソンの所定の経路を規定するオーブン（an oven）を有する（これは、公知の解決法そのものによるため、詳細には図示しない）。
【０１６８】
冷却サブユニット８は、例えば、カルーセル９を有する。
【０１６９】
カルーセル９は、本発明と同一の出願人名義で出願された国際公開第ＷＯ２００９１２７９６２号パフレット（特許文献１）で詳細に記載され、当該文献は、冷却カルーセルの関連部分において本明細書に参考として組み込まれる。
【０１７０】
第一の変形実施形態では、図４に示されているように、熱調整ユニット６はオーブン７のみを有する。
【０１７１】
この場合、オーブン７は、加熱手段に加えて、冷却手段をさらに有する。冷却手段は、オーブン７内でパリソン４がたどる経路の少なくとも１つの区間で動作可能に作動され得る。
【０１７２】
オーブンは、冷却形態（加熱手段がオフ状態又は低熱オン状態であり、冷却手段がオン状態である形態）と加熱形態（加熱手段がオン状態であり、冷却手段がオフ状態である形態）との間で切り替えることができる。
【０１７３】
上記オーブン７は、別のパリソン４を同時に加熱及び冷却することができる。この場合（図示せず）、加熱手段はオーブン７の第一の部分に置かれ、冷却手段は、オーブン７の第二の部分に置かれる。例えば、第一及び第二の部分は、２つの高さ（加熱手段が下で冷却手段が上、又はその逆）に置くか、加熱炉の連続する区間に（まず冷却区間、その後加熱区間と）置くことができる。
【０１７４】
ライン１はさらに、回転ブロー成型機から成るブロー成型ユニット１０を有する。回転ブロー成型機はさらに、カルーセルに置かれた複数の成型型を有する（これは、当技術分野で公知の技術によるものであり、図示しない）。
【０１７５】
ブロー成型ユニット１０は、調整ユニット６から加熱済みのパリソン４を受け取り、これらのパリソン４を、液状又は半液状の食料製品が充填可能な容器１１（ボトル又はその他のＰＥＴ容器）が形成されるように成型型内でブロー成型するように構成されている。
【０１７６】
図中、符号１１は、ブロー成型ユニット１０から供給されて利用に供される空のブロー成型容器を示す。
【０１７７】
ライン１は、液状又は半液状の食料製品を容器１１に充填するように構成された充填ユニット１２を有する（これは、公知技術そのものによるため、図示しない）。
【０１７８】
ライン１は、未加工の形のプラスチック材料からプラスチックの蓋１４を形成するための成型ユニット１３を有する（これは、公知技術そのものによる）。
【０１７９】
ライン１は、充填ユニット１２で充填された容器１１に蓋１４を締める蓋締めユニット１５を有する。
【０１８０】
蓋締めユニット１５は、公知技術そのものにより構成されており、図示しない。
【０１８１】
好適には、ライン１は、公知技術そのものにより容器１１にラベル付けするように構成されたラベル付けユニット１６を有する。
【０１８２】
好適には、ライン１はさらに、射出、又は射出及び圧縮によって加工する（非回転式の）成型機から成るパリソン成型ユニット１７を有する。
【０１８３】
ラインは、少なくとも１つのパリソン成型機（例えば、図中符号３を付したもの又は図中符号１７を付したもの）を有する。少なくとも１つのパリソン成型機は、例えば、回転式又は非回転式の任意のものとすることができる。
【０１８４】
好適には、ラインは、（少なくとも）２つのパリソン成型機（例えば、図中符号３及び符号１７を付したもの）を有する。この場合、ラインは、回転式のパリソン成型ユニット３及び非回転式のパリソン成型ユニット１７を有することが好適である。
【０１８５】
好適には、充填ユニット１２は、回転式の機器から成る。
【０１８６】
好適には、蓋締めユニット１５は、回転式の機器から成る。
【０１８７】
好適には、ラベル付けユニット１６は、回転式の機器から成る。
【０１８８】
好適には、ライン１を構成するユニット（特に、パリソン成型ユニット３、熱調整ユニット６、ブロー成型ユニット１０、充填ユニット１２、蓋締めユニット１５及びラベル付けユニット１６）は、ラインの動作中、製品（すなわち、パリソン容器及び蓋）が、あるユニットから別のユニットへと略協調して移送されるように、互いに接続されている。
【０１８９】
図中、符号１８は、充填され、蓋及びラベルが未だ付いていない容器を示し、符号１９は、充填され蓋が締められているがラベルは未だ付いていない容器を示し、符号２０は、充填され、蓋及びラベルが付けられた容器を示し、符号２１は、空で、ラベルは付されているが蓋は未だ締められていない容器を示し、符号２２は、充填され、ラベルは付されているが蓋は未だ締められていない容器を示す。
【０１９０】
ライン１はウェアハウス２を有する。
【０１９１】
ウェアハウス２は、パリソン４及び蓋１４を収容するように構成されている。好適には、ウェアハウス２はさらに、空のブロー成型容器１１を収容するように構成されている。
【０１９２】
ウェアハウスは、ライン１のユニットに、以下の接続を介して相互接続される。
【０１９３】
ウェアハウス２は、調整ユニット６に、コンベヤ２３を介して接続される。コンベヤ２３は、ウェアハウス２から調整ユニット６（具体的に言えば、サブユニット７）へパリソン４を移送するように作られている。
【０１９４】
ウェアハウス２から調整ユニット６までのパリソン４の経路に沿って、（略公知の技術による）マニピュレータ手段を介して、パリソン４を方向付け、パリソン４同士の間隔を適切に空ける方向付け装置２４が存在する。
【０１９５】
方向付け装置２４は、ウェアハウス２又は調整ユニット６に組み込んでも、コンベヤ２３に挿入してもよい（図では、後者の実施形態が示されている）。
【０１９６】
これは、全てのコンベヤ及び後述する関連の全ての方向付け装置に当てはまる。方向付け装置は全て、パリソン、蓋又は容器のいずれを方向付けるかに関わらず、参照符号２４が付されている。
【０１９７】
ウェアハウス２は、調整ユニット６に、別のコンベヤ２５を介して接続される。コンベヤ２５は、調整ユニット６（具体的に言えば、サブユニット８）からウェアハウス２へパリソン４を移送するように作られている。
【０１９８】
ウェアハウス２は、蓋１４の成型ユニット１３に、コンベヤ２６を介して接続される。コンベヤ２６は、蓋の成型ユニット１３からウェアハウス２へ蓋１４を移送するように作られている。
【０１９９】
蓋１４の成型ユニット１３は、蓋締めユニット１５に、コンベヤ２７を介して接続される。コンベヤ２７は、蓋の成型ユニット１３から蓋締めユニット１５へ蓋１４を移送するように作られている。ここで、方向付け装置２４が挿置されている。
【０２００】
パリソン成型ユニット３は、調整ユニット６に直接（例えば、１つ又は複数の移送カルーセルにより）接続されている。
【０２０１】
調整ユニット６は、ブロー成型ユニット１０に直接（例えば、１つ又は複数の移送カルーセルにより）接続されている。
【０２０２】
ブロー成型ユニット１０は、充填ユニット１２に（例えば、１つ又は複数の移送カルーセル又は好適には容器１１の能動制御を有するその他のコンベヤにより）接続されている。
【０２０３】
充填ユニット１２及び蓋締めユニット１５は、共通の機器（好適には、回転式の機器）又は（例えば、１つ又は複数の移送カルーセルによって）直接接続された２つの別個の機器に画成される。
【０２０４】
好適には、ウェアハウス２は、別のパリソン４の成型ユニット１７に、コンベヤ２８を介して接続される。コンベヤ２８は、別の成型ユニット１７からウェアハウス２へパリソン４を移送するように作られている。
【０２０５】
好適には、ウェアハウス２は、ブロー成型ユニット１０に、コンベヤ２９を介して接続される。コンベヤ２９は、ブロー成型ユニット１０からウェアハウス２へ容器１１を移送するように作られている。
【０２０６】
好適には、ウェアハウス２は、ブロー成型ユニット１０に、コンベヤ３０を介して接続される。コンベヤ３０は、ウェアハウス２からブロー成型ユニット１０へ容器１１を移送するように作られている。ここで、方向付け装置２４が挿置されている。
【０２０７】
好適には、ウェアハウス２は、充填ユニット１２（又は、ラベル付けユニット１６）に、コンベヤ３１を介して接続される。コンベヤ３１は、ウェアハウス２から充填ユニット１２（又は、ラベル付けユニット１６）へ容器１１を移送するように作られている。ここで、方向付け装置２４が挿置されている。
【０２０８】
本発明によれば、ウェアハウス２の内部には、調節大気環境が画定されている。
【０２０９】
「調節大気環境」との語句は、加圧環境（過圧）又は所定の気体の強制循環が行われる環境を意味するものとして用いられる。
【０２１０】
本発明によれば、ライン１は、ユニット間の接続並びにユニット及びウェアハウス２の間の接続が、上述したように調節大気環境に置かれた統合システムを規定している。
【０２１１】
さらに具体的に言えば、調節大気環境に置かれた接続は、少なくとも、パリソンの成型ユニット３、熱調整ユニット６、ブロー成型ユニット１０、充填ユニット１２、蓋の成型ユニット１３、蓋締めユニット１５、及びウェアハウス２の間の接続である。
【０２１２】
ライン１のユニット間の接続並びにユニット及びウェアハウス２の間の接続における調節大気環境は、２つの変形実施形態により作られる。
【０２１３】
第一の変形実施形態では、コンベヤ２３、２５−３１及びユニット間の（上述したような）他の接続が、ダクト（図示せず）内に格納される。ダクトは、調節大気が生成及び維持される密封チャンバを画定する。
【０２１４】
第二の変形実施形態では、ラインは、ウェアハウス２及びライン１を構成する全てのユニットが収容された空間（図示せず）を有する。空間は、調節大気が生成及び維持される単一の密封チャンバを画定する。
【０２１５】
好適には、ライン１は、調節大気環境に作用してチャンバ内の環境を無菌にする滅菌（又は、消毒）手段を有する。
【０２１６】
好適には、ウェアハウス２内部は、イオン化気体を用いて加圧される。
【０２１７】
例えば、ライン１は、
中電圧発生器又は高電圧発生器に接続され、空間領域に電界を発生させる（好適には、電極の先端はコロナ効果を生じさせる）電極と、  
電界で覆われた空間領域全体に流れを発生させる気体（例えば、空気）の強制循環と、
を備えたイオン化ステーション（図示せず）を有する。
【０２１８】
イオン化ステーションは、ウェアハウス２に接続されており、ウェアハウス２内の環境をイオン化させる。
【０２１９】
好適には、ライン１はさらに、管理ユニットを有する。
【０２２０】
管理ユニットは、例えば、電子カード又は適切にプログラムされたプロセッサ等の処理手段から成り、図示しない。
【０２２１】
管理ユニットは、好適には、ライン全体を制御及び／又は監視するように、ウェアハウス２及びライン１を構成する全てのユニットに接続される。
【０２２２】
具体的に言えば、管理ユニットは、ウェアハウス２、熱調整ユニット６、蓋成型ユニット１３、及び蓋締めユニット１５に接続される。ここで、管理ユニットは、ウェアハウス２及びそうしたユニットを、
前記熱調整部６がパリソン４の加熱モードにあり、ブロー成形部１０に供給する作動形態と、  
熱調整ユニット６がパリソン４の冷却モードにあり、ウェアハウス又は貯蔵システム２に供給する作動形態（この形態は、ブロー成型ユニット１０がシャットダウンした場合又はパリソン４の成型ユニット３によって生成されたパリソンと色が異なるパリソンがブロー成型ユニット１０に供給された場合に適用される）と、
蓋１４の成型ユニット１３が、蓋締めユニット１５に供給する作動形態（この作動形態は、蓋１４の成型ユニット１３及び蓋締めユニット１５の両方が動作中であり、かつ、同色の物を用いて加工中である場合に、デフォルトで設定される）と、
蓋１４の成型ユニット１３が、ウェアハウス又は貯蔵システム２に供給する作動形態（この形態は、蓋締めユニット１５がシャットダウンした場合又は蓋１４の成型ユニット３によって生成された蓋１４と色が異なる蓋１４が蓋締めユニット１５に供給された場合に適用される）と、
（のうち１つ又は複数）に従って制御するようにプログラムされている。
【０２２３】
管理ユニットは、上記形態が互いに交互に又は組み合わせた形で作動され得るように構成されている。
【０２２４】
また、好適には、管理ユニットは、ウェアハウス２及びラインのユニットを、
冷却サブユニット８はオフ状態であり、一方、前記加熱サブユニット７はオン状態であり、前記パリソンの成型ユニットから前記パリソンを受け取り、当該パリソンを前記ブロー成型ユニットに供給する作動形態（この作動形態は、パリソン４の成型ユニット１３及びブロー成型ユニット１０の両方が動作中であり、かつ、同色の物を用いて加工中である場合に、デフォルトで設定される）と、
冷却サブユニット８はオン状態であり、パリソンの成型ユニット３からパリソン４を受け取り、当該パリソン４をウェアハウス２に供給し、一方、加熱サブユニット７はオン状態であり、ウェアハウス２から他のパリソン４を受け取り、当該パリソン４をブロー成型ユニット１０に供給する作動形態（この作動形態は、パリソン４の成型ユニット３及びブロー成型ユニット１０の両方が動作中であるが、異なる色及び／又は形状の物を用いて加工中である場合に、設定される）と、
蓋成型ユニット１３は、ウェアハウス２に供給し、一方、ウェアハウスは蓋締めユニット１５に供給する作動形態（この作動形態は、蓋１４の成型ユニット１３及び蓋締めユニット１５の両方が動作中であるが、異なる色の物を用いて加工中である場合に、設定される）と、
（のうち１つ又は複数）に従って制御するようにプログラムされている（管理ユニットは、これらの形態が互いに交互に又は組み合わせた形で作動され得るように構成されている）。
【０２２５】
また、好適には、管理ユニットは、ウェアハウス２及びラインのユニットを、
ブロー成型ユニット１０が充填ユニット１２に容器１１を供給する作動形態と、
ブロー成型ユニット１０がウェアハウス２に容器１１を供給する作動形態と、
ウェアハウス２が充填ユニット１２に容器１１を供給する作動形態と、
に従って制御するようにプログラムされている（管理ユニットは、これらの形態が互いに交互に又は組み合わせた形で作動され得るように構成されている）。
【０２２６】
上記作動形態により、上述したのと同様の論理に従って、ブロー成型ユニット１０又は充填ユニット１２の機器のシャットダウンに対処することが可能となる。
【０２２７】
また、好適には、管理ユニットは、ウェアハウス２がラベル付けユニット１６に容器１１を供給し、ラベル付けユニット１６が充填ユニット１２にラベル付けされた容器２１を供給する（図２を参照のこと）、という作動形態に従って、ウェアハウス２及びラインのユニットを制御するようにプログラムされている。
【０２２８】
ウェアハウス又は貯蔵システム２に関しては、以下の事項に留意されたい。
【０２２９】
ウェアハウス２は、ウェアハウスフレーム（例えば、金属製の格子枠）を構成する構造体２０１から成る。
【０２３０】
構造体２０１には、（部分的にのみ図示されている）引出し２０２それぞれの複数のハウジング（又はスロット）が規定されている。
【０２３１】
引出し２０２は、ハウジングに収納することができ、例えば、パリソン、蓋又はボトルといった物を収容するように作られている。
【０２３２】
好適には、構造体２０１は、複数の並置された列を画定するように構成されている。各列は、垂直方向に整列した複数のハウジングを有する。
【０２３３】
ウェアハウスはさらに、リフト２０３を有する。リフト２０３は、引出し２０２を支持及び移動するように作られたプラットフォームを有する。
【０２３４】
リフトのプラットフォーム２０４は、垂直方向誘導レール２０５を垂直方向に移動することができる。
【０２３５】
リフトのプラットフォーム２０４は、水平方向にも移動することができる。
【０２３６】
好適には、リフト２０２、すなわち、プラットフォーム２０４の移動は、回転要素２１２の作用を介して生じる。例えば、リフト２０２は、ホイール２１２（又は、その他の回転要素）によって構造体２０１に摺動可能に連結されている。好適には、プラットフォーム２０４は、ホイール２１２（又はその他の回転要素）によって、リフトのフレーム１２に連結されるか、又は、構造体２０１に直接連結されている。
【０２３７】
プラットフォーム２０４は、その垂直方向の移動及び水平方向の移動の組合せによって、ウェアハウス内の全てのハウジング、すなわち、ウェアハウス内のハウジングに格納された全ての引出しに到達することができる。
【０２３８】
プラットフォーム２０４は、ハウジングから引出し２０２を引き出し、引出しを空のハウジングに挿入するように構成されている。
【０２３９】
好適には、プラットフォーム２０４は、２つ以上の引出し２０２を同時に移送するように構成されている。
【０２４０】
好適には、ウェアハウス２は、引出し２０２の洗浄ステーション（又は、ベイ）２０６を有する。
【０２４１】
好適には、ウェアハウス２はさらに、引出しの乾燥ステーション（図示せず）を有する。
【０２４２】
好適には、ウェアハウス２は、（例えば、ファンに接続された）出口孔２０７のシステムを有する。出口孔２０７は、空気流を生成するように構成されたファン又はその他の手段を有する。
【０２４３】
出口孔２０７は、ウェアハウス２の領域に配置され、したがって、その領域は、ウェアハウス２の高圧領域となる。
【０２４４】
出口孔２０７は、ウェアハウス２の低圧領域に向かう所定の方向に方向付けられている。
【０２４５】
好適には、ウェアハウスの高圧領域及び低圧領域は、ウェアハウス２の対向する端部に位置し、それにより、空気（層）流がウェアハウス２内部の空間全体に発生する。この流れは、図１０中、矢印２０８で示されている。
【０２４６】
ウェアハウス２はさらに、ウェアハウスの低圧領域に位置する、（例えば、ファンに接続された）入口孔２０９のシステムを有する。
【０２４７】
低圧領域の圧力は、高圧領域の圧力より低いが、ウェアハウスの外部環境（すなわち、ボトル詰めラインの外部であって、典型的には、当該環境は、ラインが設置される部屋である）の圧力よりも高い。
【０２４８】
好適には、引出し２０２には、空気流が通過できるように穴が開けられている。
【０２４９】
好適には、構造体２０１は、内部に、出口孔２０７と同じ方向に方向付けられた複数の穴又は開口部が設けられており、それにより、空気流は、ウェアハウス２内部の空間を容易に移動することができる。
【０２５０】
つまり、引出しハウジングは、内部に（例えば、格子で画定された）穴を有する。
【０２５１】
好適には、出口孔２０７及び入口孔２０９のシステムは、ダクト２１０に接続され、ウェアハウス２内部（閉回路）の循環気流を形成する。
【０２５２】
好適には、ウェアハウスは、複数のフィルタ（図示せず）を有する。フィルタは、出口孔（対応する圧力ファンの下流）に連結され、ウェアハウス２に送り込まれた空気をろ過する。
【０２５３】
好適には、ウェアハウスは、平行六面体形状を有し、２辺が長く、２辺が短い矩形のベースを有する。したがって、ウェアハウスの側壁は、大きな面２つと小さな面２つとを有する。
【０２５４】
好適には、高圧領域及び低圧領域は、ウェアハウスの側壁の対向面に位置し、それにより、ウェアハウス全体に空気が流れる。
【０２５５】
好適には、高圧領域及び低圧領域は、側壁の小さな面に位置する。これにより、出口２０７／入口２０９の数を最小限にし、ウェアハウスの構造を単純化することができる。
【０２５６】
ウェアハウスの内部構造に関して、ウェアハウス内の引出しハウジング及びリフトがたどる経路の配置については、様々な実施形態がある。２つの例について、以下に説明する。
【０２５７】
（図７〜９に示されている）第一の実施形態では、ウェアハウス２は、小さな側面を切断し、ウェアハウスを、大きな側面に平行な分割面に沿って２つの部分に分割する空いた通路を有する。
【０２５８】
リフト２０３は、垂直方向の誘導レール２０５を規定する（ウェアハウスの高さと同じ長さの）２つの垂直方向の支柱を備えたフレームを有する。支柱は、キャリッジ２０４の対向端部に摺動可能に連結されている。
【０２５９】
好適には、リフトフレームの周囲形状は矩形である。これは、垂直方向の支柱は、その端部の横木によって閉じられているためである。
【０２６０】
リフト（すなわち、リフトフレーム）は、大きな面に平行な（水平）方向に沿って、水平方向に移動することができる。フレームは、水平方向のガイド、すなわち、分割面に沿って延びる水平方向のレール２１１上で動く。
【０２６１】
この場合、キャリッジ２０４及び引出し２０２は、ウェアハウスの小さな側面で規定された面に対して垂直に（そして、大きな側面に対して平行に）置かれる。
【０２６２】
（図６に示されている）第二の実施形態では、キャリッジ２０４及び引出し２０２は、ウェアハウスの小さな側面で規定された面に対して平行に置かれる。
【０２６３】
ウェアハウス２内部には、大きな側面を切断し、ウェアハウスを、小さな側面に平行な分割面に沿って複数の部分に分割する複数の空いた通路（垂直方向の通路）を有する。
【０２６４】
所定の１つ又は複数の高さ（すなわち、ウェアハウスの床から所定の１つ又は複数の高さ）には、リフトキャリッジの（水平方向の）滑り面が設けられている。
【０２６５】
こうしたキャリッジ２０４の水平方向の滑り面により、１つ又は複数の水平方向の通路が画定され、当該通路に沿ってキャリッジ２０４は移動する。キャリッジ２０４が動く少なくとも１つの水平方向の通路は、好適には、ウェアハウスの一番上の高さ（ウェアハウスの天井付近）又は一番下の高さ（ウェアハウスの床付近）に位置する。
【０２６６】
なお、ラインのユニット間の接続を取り囲むダクトも、ライン外部の圧力より高い圧力で維持されている。これらの接続は、上述したコンベヤ２３、２５〜３１に対応している。
【０２６７】
一例として、図６にダクト１０１が示されている。ダクト１０１は、別のパリソンの成型ユニット１７をウェアハウス２に接続する。
【０２６８】
好適には、ラインは、コンベヤ、すなわち、ラインを構成する様々なユニットの間の接続を取り囲むダクトの領域（限定区間）に置かれた出口孔（図示せず）を有する。
【０２６９】
このように、ラインの内部には密封空間が画定されており、当該密封空間は、ラインの外部環境（すなわち、ラインが設置された部屋の環境）よりも高い圧力で維持される。
【０２７０】
上記の解決法は、ラインが設置された部屋全体を加圧する解決法に比べて、省エネルギーを可能にし、また、汚染からの保護を向上させる。
【０２７１】
好適には、ダクトを接続するラインは、所定の内部圧力で維持され、圧力は、所定の形で分散されて、ラインのダクトの所定位置（領域）に出口孔が位置付けられていることによって、比較的高圧力の領域と比較的低圧力の領域とを規定する。
【０２７２】
これにより、ダクト内（並びに、ウェアハウス２といった、ラインを構成する機器・ユニット及びダクトの間）に、調節圧力の空気流が発生する。
【０２７３】
また、本発明は、熱可塑性材料の容器をボトル詰めするための連続的サイクルによる方法を提供する。
【０２７４】
上記方法は、
未加工の形の熱可塑性材料５から、パリソン４を成型するステップと、
パリソン４を、加熱及び（必要であれば）冷却によって、熱調整するステップと、
加熱済みのパリソン４をブロー成型し、熱可塑性材料（例えば、ＰＥＴ）の容器１１を形成するステップと、
容器１１に、液状又は半液状の食料製品を充填するステップと、
未加工の形のプラスチック材料５から、蓋１４を成型するステップと、
充填後の容器１８に蓋を締めるステップと、
パリソン４及び蓋１４、並びに、必要であれば容器１１を収容するように構成されたウェアハウス２を設置するステップと、
を含む。
【０２７５】
本発明の方法は、ウェアハウス２に加圧（所定の気体の強制循環又は滅菌）を行い、好適には（必須ではないが）無菌の調節大気環境をウェアハウス２内に画定するステップを含む。
【０２７６】
したがって、上記方法は、ウェアハウス２及びライン１を構成するユニットにより規定される統合システム内部で、調節大気環境のライン１で循環される物（パリソン４、容器１１及び蓋１４）を移送するステップを含む。
【０２７７】
また、好適には、ライン１を制御するステップを含む。当該ステップでは、ウェアハウス２及びユニット（概略的に言えば、ここで関与するユニットは、符号３、６、１０、１２、１３、１５及び１７が付されたものである）を、
前記熱調整ユニット６がパリソン４の加熱モードにあり、ブロー成形部１０に供給する作動形態と、
熱調整ユニット６がパリソン４の冷却モードにあり、ウェアハウス２に供給する作動形態と、
蓋１４の成型ユニット１３が、蓋締め部１５に供給する作動形態と、
蓋の成型ユニット１３が、ウェアハウス２に供給する作動形態と、
（のうち１つ又は複数）に従って（これらを互いに交互に又は組み合わせた形で）管理するステップを含み得る。
【０２７８】
好適には、ライン１を制御するステップは、ウェアハウス２及びユニットを、
パリソン４を、熱調整ユニット６の加熱サブユニット７からブロー成型ユニット１０に供給する作動形態と、
パリソン４を、ウェアハウス２から熱調整ユニット６の加熱サブユニット７に供給すると同時に、パリソン４を、パリソン４の成型ユニット３からウェアハウス２に移送する作動形態と、
ウェアハウス２が蓋締めユニット１５に供給する際に、蓋１４を、蓋の成型ユニット１３からウェアハウス２に移送する作動形態と、
（のうち１つ又は複数）に従って（これらを互いに交互に又は組み合わせた形で）制御するステップを含む。
【０２７９】
また、上記方法は、ラインの動作中、（好適には、必須ではないが、無菌の）調節大気環境を生成及び維持するステップを含む。
【図１】
2015505781.tif 000003
【図２】
2015505781.tif 000004
【図３】
2015505781.tif 000005
【図４】
2015505781.tif 000006
【図５】
2015505781.tif 000007
【図６】
2015505781.tif 000008
【図７】
2015505781.tif 000009
【図８】
2015505781.tif 000010
【図９】
2015505781.tif 000011
【図１０】
2015505781.tif 000012
【国際調査報告】
2015505781.tif 000013
2015505781.tif 000014
2015505781.tif 000015